(57)【特許請求の範囲】
【請求項１】
ユーザの額に接触したときに加わる押し付け力を受けて全面マスクの内部で変位可能な第１フレームと、前記第１フレームに固定部を介して回転可能に取り付けられ前記ユーザが前記全面マスクを装着するときの前記第１フレームの変位により発生する押し付け力により前記全面マスクの内部に位置決めされる第２フレームとを備えるフレームユニットと、
前記フレームユニットに取り付けられるとともに、光源、光学素子および反射板を有し、前記ユーザに視認させる画像の画像信号に応じた画像光を前記反射板へ投影可能な光学ユニットと、を具備することを特徴とする情報表示装置。
【請求項２】
前記フレームユニットに取り付けられるとともに、前記画像信号を生成する画像生成ユニットとさらに具備することを特徴とする請求項１に記載の情報表示装置。
【請求項３】
前記光学ユニットは、前記ユーザの前後方向、上下方向、および左右方向にそれぞれ対応する方向のうち、少なくとも一つの方向に対して位置調整が可能に構成されることを特徴とする請求項１に記載の情報表示装置。
【請求項４】
前記フレームユニットに取り付けられ、前記全面マスクの外の対象物を撮像するカメラをさらに具備することを特徴とする請求項１から３の何れか１項に記載の情報表示装置。
【請求項５】
前記フレームユニットに取り付けられるマイクをさらに具備することを特徴とする請求項１から４の何れか１項に記載の情報表示装置。
【請求項６】
前記画像生成ユニットに接続され、前記ユーザに視認させる前記画像に対応する信号を伝送可能な情報端末をさらに具備することを特徴とする請求項２並びにこの請求項２を引用する請求項４及び５の何れか１項に記載の情報表示装置。
【請求項７】
前記情報端末は、自己の三次元的な位置情報を計測する測位部を備えることを特徴とする請求項６記載の情報表示装置。
【請求項８】
請求項１から７の何れか１項に記載の情報表示装置における前記光学ユニットが取り付けられた前記フレームユニットを全面マスク内に配置する工程と、
前記全面マスクをユーザに装着することによって前記フレームユニットを前記全面マスク内に位置決めする工程と、
前記全面マスクを前記ユーザが装着した状態で、前記光学ユニットが前記ユーザに視認させる画像の画像信号に応じた画像光を前記反射板へ投影する工程と、
を備えることを特徴とする情報表示方法。
【発明の詳細な説明】
【技術分野】
【０００１】
本発明の実施形態は、情報表示装置および情報表示方法に関する。
【背景技術】
【０００２】
プラントなどの大型施設の建設および保守の現場では、多くのノウハウを持つ熟練作業員の退職により世代交代が進み、比較的経験の浅い若手作業員が現場に配備されている。世代交代の進行に伴い、熟練作業員に代わって比較的経験の浅い作業員が多数現場に配備されることで、作業品質の低下やヒューマンエラーの増加が懸念される。そのため、若手作業員への技能の継承や訓練が急務となっている。
【０００３】
例えば、現場では、予定された作業を安全かつ確実に完了させるために、朝礼や作業前のミーティングで要領書の読み込みと作業内容確認を実施している。しかしながら、プラントなどの大型施設では、異なる箇所で多人数の作業員がそれぞれ同時に分担された作業を進めていくため、必ずしも熟練者が全ての作業を確認することができないのが実情である。従って、作業品質は、個々の現場作業者の技能に影響される。
【０００４】
上述した現場作業を改善するため、例えば、タブレット端末などの情報機器を活用して、事務所にいる熟練者と現場にいる現場作業員の状況を共有しながら作業を進めることが検討されている。しかしながら、情報機器としてタブレット端末を採用する場合、タブレット端末を保持するために片手がふさがる等の事情から運用性に課題がある。上記運用性の課題を考慮した場合、熟練者との現場状況の情報共有に使用する情報機器は、ハンズフリーで情報を閲覧可能であることが好ましく、その有力な候補として、光透過型のヘッドマウントディスプレイなどのウェアラブル端末の導入が検討されている。
【０００５】
近年、ウェアラブル端末は、光学系の改良や設計の工夫により、作業中に装着しても、ほとんど違和感のない程度まで小型化、軽量化が進んできている。
【０００６】
多くのウェアラブル端末は、眼鏡型の支持フレームに映像光を投影するプロジェクタやレンズ、スクリーンなどの光学部品で構成されるユニットを装着することで、ユーザに映像を視認させる構造となっている。眼鏡型の支持フレームを採用することで、一般的に装着に対する抵抗感を軽減できることが利点と考えられる。
【０００７】
また、ウェアラブル端末には、使用時の利便性を向上させるための構成として、機能を付加するアタッチメントが用意されている場合もある。
【０００８】
さらに、顔面を覆ういわゆる全面マスク等の保護具の外部に取り付け可能なウェアラブル端末が提案されている。
【先行技術文献】
【特許文献】
【０００９】
【特許文献１】特開２０１２−１５９６８１号公報
【特許文献２】特許第５５８９９９２号公報
【特許文献３】特開２０１５−１６６７０８号公報
【発明の概要】
【発明が解決しようとする課題】
【００１０】
しかしながら、従前のウェアラブル端末では、防毒マスクや防塵マスクのように顔面を覆ういわゆる全面マスク等の保護具を着用しなければならない作業の場合、眼鏡型のアタッチメントではリークが生じるため、着用することができない。
【００１１】
また、全面マスクに取り付け可能なウェアラブル端末も提案されているものの、全面マスクの外部に取り付けて固定するため、全面マスクを着用しているユーザは全面マスクのアイピース越しに表示部を見ることとなり、全面マスクを着用せずに使用する一般的な使用状態と比べて視認性の低下が生じてしまう。さらに、放射性物質が空間中に存在する領域で使用する場合、当該空間内を漂う放射性物質がウェアラブル端末に付着する等の放射性物質による放射能汚染を招来し得る。
【００１２】
従って、全面マスク等の顔面を覆う保護具を使用する場合に、全面マスクの内部（全面マスクと顔面との間に形成される空間）で使用可能な情報表示装置が望まれている。
【００１３】
本発明の実施形態は、上述した事情に鑑みてなされたものであり、顔面を覆う保護具の内部で装着可能な情報表示装置および情報表示方法を提供することを目的とする。
【課題を解決するための手段】
【００１４】
本発明の実施形態に係る情報表示装置は、上述した課題を解決するため、ユーザの額に接触したときに加わる押し付け力を受けて全面マスクの内部で変位可能な第１フレームと、前記第１フレームに固定部を介して回転可能に取り付けられ前記ユーザが前記全面マスクを装着するときの前記第１フレームの変位により発生する押し付け力により前記全面マスクの内部に位置決めされる第２フレームとを備えるフレームユニットと、前記フレームユニットに取り付けられるとともに、光源、光学素子および反射板を有し、前記ユーザに視認させる画像の画像信号に応じた画像光を前記反射板へ投影可能な光学ユニットと、を具備することを特徴とする。
【００１５】
本発明の実施形態にかかる情報表示方法は、上述した課題を解決するため、上述の情報表示装置における前記光学ユニットが取り付けられた前記フレームユニットを全面マスク内に配置する工程と、前記全面マスクをユーザに装着することによって前記フレームユニットを前記全面マスク内に位置決めする工程と、前記全面マスクを前記ユーザが装着した状態で前記光学ユニットが前記ユーザに視認させる画像の画像信号に応じた画像光を前記反射板へ投影する工程と、を備えることを特徴とする。
【発明の効果】
【００１６】
本発明によれば、顔面を覆う保護具を着用する場合においても、当該保護具を着用するユーザが、着用する保護具の内部で装着して使用することができる。
【図面の簡単な説明】
【００１７】
【図１】本発明の実施形態に係る情報表示装置の斜視図。
【図２】矢印Ａ（図１）の方向から見た場合の矢視図。
【図３】本発明の実施形態に係る情報表示装置の適用例を説明する概略図。
【図４】本発明の実施形態に係る情報表示装置の構成を示す概略図。
【図５】本発明の実施形態に係る情報表示装置が行う情報表示手順の処理ステップの流れを示す流れ図（フローチャート）。
【発明を実施するための形態】
【００１８】
以下、本発明の実施形態に係る情報表示装置について、図面を参照して説明する。なお、以下の説明において、前、後、上、下、左、右等の方向を示す言葉は、図示した状態または通常の使用状態（装着した状態）を基準としたものである。また、以下の説明は、顔面を覆う保護具の一例として全面マスク１の場合を説明するが、顔面を覆う保護具は、必ずしも鼻を覆うノーズカップ２付のものに限定されるものではない。
【００１９】
図１は本発明の実施形態に係る情報表示装置の一例である情報表示装置２０の斜視図、図２は図１に示される矢印Ａの方向から見た場合の矢視図であり、光学ユニット２２を画像生成ユニット２１に位置調整可能に取り付ける取付手段の一例を示す概略図であり、図３は情報表示装置２０の適用例を説明する概略図である。
【００２０】
なお、図１および図２に示されるｘ軸、ｙ軸およびｚ軸は、それぞれ、中間フレーム２３ｅに沿う上下方向、下部フレーム２３ｃに沿う左右方向および情報表示装置２０を装着したユーザの前後方向の軸である。ｘ軸、ｙ軸およびｚ軸は、直線でも曲線でも良い。また、軸数は少なくとも１個の軸があれば良いが、情報表示装置２０を装着したユーザから見て概ね上下方向、左右方向および前後方向の３軸程度あることが好ましい。
【００２１】
情報表示装置２０は、顔面を覆う保護具の一例である全面マスク１を着用するユーザの額部分と鼻を覆うノーズカップ２とで押さえることで、ユーザが当該全面マスク１の内部（全面マスク１と顔面との間に形成される空間）で装着可能（ウェアラブル）な装置として構成される。
【００２２】
情報表示装置２０は、少なくとも、全面マスク１の内部で装着する内部ユニットとして、画像生成ユニット２１と、光学ユニット２２と、画像生成ユニット２１および光学ユニット２２を支持するフレームユニット２３とを具備して構成される。
【００２３】
図１に例示される情報表示装置２０では、画像生成ユニット２１、光学ユニット２２およびフレームユニット２３の他、撮像用のカメラ２４ａおよびカメラ２４ａを制御するカメラ制御部２４ｂ（図４）を備えた撮像手段としてのカメラユニット２４と、音声入力手段としてのマイク（マイクロフォン）２５とをさらに具備している。
【００２４】
画像生成ユニット２１は、ユーザに視認させる画像を表示するための画像信号を生成する機能を有し、与えられる画像の情報に基づいて当該画像の画像信号を生成する。また、画像生成ユニット２１は、他のユニット（自装置内であるか外部装置であるかを問わない）との間で有線または無線による双方向の情報伝送を行う機能を有しており、画像信号を生成するための画像の情報を、例えばケーブル２６ａ等の接続手段を介して接続される情報端末４０（図４）等の画像生成ユニット２１以外のユニットから得ることができる。
【００２５】
光学ユニット２２は、光源（図示省略）、光学素子（図示省略）および反射板（投射板）２７を有し、画像生成ユニット２１から受け取る画像信号に基づくに応じた画像光を生成する機能と、生成した画像光を投射する機能とを有する。光学ユニット２２では、生成された画像光が、光源から反射板（投射板）２７へ投影される。
【００２６】
反射板２７は、投影される画像光の少なくとも一部を反射して、ユーザの瞳孔に導く構成要素である。すなわち、反射板２７は、投影される画像光を映す画面として機能し、画像生成ユニット２１に与えられた画像が表示される。反射板２７は、ユーザの瞳孔に導くよう調整された配置（位置関係）を維持するように、光学ユニット２２に固定される。
【００２７】
フレームユニット２３は、画像生成ユニット２１および光学ユニット２２を支持する支持体であり、全面マスク１内の、全面マスク１前面のアイピース（窓部）５と装着者の顔面に当接する部分であるスカート（リップ部）６との間に配設可能に構成される。すなわち、フレームユニット２３は、全面マスク１の内部の、例えば、目枠３（アイピース（窓部）５の枠体）またはアイピース５の手前側（顔面側）の面等の全面マスク１の内面に対して変位可能な第１フレーム２３ａと、第１フレーム２３ａに係合し、ユーザが全面マスク１を装着した場合に第１フレーム２３ａの変位に伴って発生する押し付け力により全面マスク１内に位置決めされる第２フレーム２３ｂから構成される。
【００２８】
本実施形態において、第２フレーム２３ｂは、特に、全面マスク１のノーズカップ２を介してユーザの鼻背上に装着可能に構成される下部フレーム２３ｃと、第１フレーム２３ａと係合される上部フレーム２３ｄ、上部フレーム２３ｄと下部フレーム２３ｃとを連結する中間フレーム２３ｅとを備える。ここで、鼻背とは、鼻根（鼻のつけ根）から鼻尖（鼻の先）に亘る鼻の部位である。
【００２９】
また、例示した第１フレーム２３ａは、全面マスク１のアイピース５とスカート６との間で変位可能に構成されるが、この可能な変位の量は、ユーザが全面マスク１を装着する際に第２フレーム２３ｂを位置決めするために必要最小限の押し付け力を発生させることができる程度の量で十分であり、微小に変形する程度の変位でも構わない。
【００３０】
また、フレームユニット２３には、画像生成ユニット２１および光学ユニット２２が、例えば、全面マスク１を着用するユーザに対して、上下方向（図１に示されるｘ軸方向）、左右方向（図１に示されるｙ軸方向）および前後方向（図１に示されるｚ軸方向）等の少なくとも一つの軸方向に光学ユニット２２の位置調整が可能に取り付けられる。
【００３１】
なお、上下方向、左右方向および前後方向については、図１に示されるｘ軸、ｙ軸およびｚ軸からなる厳密な三次元の直交座標系に限らず、それぞれの軸が直角に対して傾いていたり、また弧を描いていてもよい。すなわち、本実施形態においては、特に光学ユニット２２の反射板２７の位置がユーザの目の位置に対していずれかの方向に調整可能に構成されていれば構わない。
【００３２】
図１に例示される情報表示装置２０では、光学ユニット２２の位置調整可能なフレームユニット２３への取付手段として、異なる３個の軸方向に位置調整可能な３個の取付手段を具備している。
【００３３】
３個の取付手段は、光学ユニット２２を位置調整（ｚ軸方向に調整幅ｚ０（≠０）で調整可能）および着脱自在に取り付ける光学ユニット取付部２１ａ、画像生成ユニット２１を位置調整および着脱自在（ｙ軸方向に調整幅ｙ０（≠０）で調整可能）に取り付ける取付ユニット２８、および取付ユニット２８を位置調整および着脱自在（ｘ軸方向に調整幅ｘ０（≠０）で調整可能）に取り付ける取り付け可能な取付部２３ｆである。
【００３４】
図１に例示される情報表示装置２０では、取付部２３ｆに調整幅を持たせる構成例として、取付部２３ｆ（図１では、ｘ軸方向に調整幅ｘ０で調整可能）に設けられる幅長の長穴３１と、取付ユニット２８に設けられる固定穴とで長穴３１の幅の範囲で位置調整してビス等の固定具３２によって着脱自在に固着する構成を適用しているが、この例に限定されない。ロック機構付のスライドレール等の公知な他の構成を適用できる。また、上述した取付部２３ｆに調整幅を持たせる構成例は、取付部２３ｆに限らず、他の取付手段である光学ユニット取付部２１ａおよび取付ユニット２８についても適用できる。
【００３５】
なお、画像生成ユニット２１と光学ユニット２２とは電気的に接続されているため、画像生成ユニット２１に対して光学ユニット２２の位置を調整可能にするためには、画像生成ユニット２１と光学ユニット２２とを電気的に接続する電路３３（図３）を、光学ユニット２２の位置調整に伴って変動する両ユニット２１，２２間の電路長の変動分を吸収可能な構成とする必要がある。
【００３６】
そこで、情報表示装置２０では、画像生成ユニット２１と光学ユニット２２とを電気的に接続する電路３３を、電路長の変動を吸収可能に変形するフレキシブルプリント基板およびワイヤーハーネスの少なくとも一方を用いて構成されている。電路３３の長さについては、画像生成ユニット２１と光学ユニット２２との位置調整する範囲を考慮して設定される。電路３３が短くなる時に、電路３３を湾曲可能な構成とすることで、改造することなく電気的な接続を維持することができる。
【００３７】
フレームユニット２３の第１フレーム２３ａは、全面マスク１を着用するユーザが情報表示装置２０を装着した場合に、全面マスク１の内部に収まる長さで左右方向に延びている。また、第１フレーム２３ａのうちユーザの額から加わる押し付け力を受ける額当て部（ユーザの額と接触する部分）は、顔面の曲面に沿うようにＲ曲げ加工が施されている。
【００３８】
第１フレーム２３ａと係合する第２フレーム２３ｂの上部フレーム２３ｄは、全面マスク１の内面においてアイピース５や目枠３の曲面に沿うようにＲ曲げ加工が施されており、第１フレーム２３ａからの押し付け力により全面マスク１の内面と接触するように前後の奥行きをもたせて構成されている。このように、第１フレーム２３ａは全面マスク１のスカート部６と第２フレーム２３ｂの上部フレーム２３ｄとの間に配置され、ユーザが全面マスク１を装着する際、ユーザの額による押し付け力により変位してこの押し付け力を全面マスク１側の第２フレーム２３ｂの上部フレーム２３ｄを介して全面マスク１の内面に付与することができる。
【００３９】
また、第１フレーム２３ａは、固定部２３ｇを介して、左右方向を長手方向とする上部フレーム２３ｄを回転軸として所定角度（水平方向を０°とした場合、前後にそれぞれ９０°未満）の範囲内で回転可能に取り付けられており、この角度を調整することで、前後の奥行き、すなわち、ユーザの額と第１フレーム２３ａとの接触部と第２フレーム２３ｂの上部フレーム２３ｄが当接する全面マスク１（アイピース５）の内面との距離を調整することができる。
【００４０】
下部フレーム２３ｃは、上部フレーム２３ｄの下方に上部フレーム２３ｄとほぼ平行に設けられる。下部フレーム２３ｃは、上部フレーム２３ｄと同様に、全面マスク１を着用した状態で全面マスク１の内部に収まる長さで左右方向に延びており、全面マスク１の内面においてアイピース５や目枠３の曲面に沿うようにＲ曲げ加工が施されている。
【００４１】
また、下部フレーム２３ｃは、鼻背上に装着可能にするため、鼻が位置する、左右方向の中央部の位置で鼻を避けて突出する突出部（湾曲部）が設けられている。下部フレーム２３ｃの左右方向の中央部より端側は、ノーズカップ２がある保護具ではノーズカップ２で、ノーズカップ２が無い保護具では全面マスク１の目枠３、アイピース５、あるいはユーザの頬骨で支持される。
【００４２】
突出部（湾曲部）の曲率は、各種の全面マスク１に適合できるように大きなノーズカップ２の形状に合わせておく。このような構成により、下部フレーム２３ｃは、ノーズカップ２がある保護具ではノーズカップ２を介して、ノーズカップ２が無い保護具でも、全面マスク１の目枠３、アイピース５または直接ユーザの鼻背上に装着することができる。
【００４３】
中間フレーム２３ｅは、第１フレーム２３ａの左右の両端と下部フレーム２３ｃの左右の両端とをそれぞれ連結し、第１フレーム２３ａから上部フレーム２３ｄを介して加わった押し付け力を下部フレーム２３ｃにも加える役割を果たす。あるいは、上部フレーム２３ｄを介して第１フレーム２３ａから加わった押し付け力によって中間フレーム２３ｅを全面マスク１の目枠３やアイピース５に押し付けてフレームユニット２３全体を位置決めするように構成してもよい。
【００４４】
なお、フレームユニット２３において、第１フレーム２３ａおよび第２フレーム２３ｂ（すなわち、下部フレーム２３ｃ、上部フレーム２３ｄおよび中間フレーム２３ｅ）は、その一部または全部が一体的に構成されていても良い。
【００４５】
カメラユニット２４は、内部ユニットの一つとして、フレームユニット２３に着脱自在に取り付けられる。視界と画像を撮像して画像信号を生成し、例えばケーブル（図１において省略）等の接続手段を介して接続される情報端末４０（図４）等の他のユニットへ伝送する。カメラユニット２４が撮像する画像には、静止画のみならず動画も含まれる。
【００４６】
カメラユニット２４に搭載されるカメラ２４ａは、ＣＣＤ（Charge Coupled Device）やＣＭＯＳ（Complementary Metal Oxide Semiconductor）等の撮像素子を用いた小型なものが好ましいが、必ずしもこの限りでない。また、カメラ２４ａが撮像可能な方向はユーザの視線方向と略一致するように構成されることが好ましいが、必ずしもこの限りでない。
【００４７】
マイク２５は、入力された音（空気振動）を音声信号（電気信号）に変換する機能を有し、例えば、下部フレーム２３ｃの長手方向（左右方向）における中心付近等、ユーザの音声を拾いやすいユーザの口付近に設けられる。マイク２５で得られる音声信号は、マイク２５から、例えば、無線（ワイヤレス）で接続される情報端末４０（図４）等の他のユニットへ伝送される。
【００４８】
このように構成される情報表示装置２０は、図３に例示されるように、第１フレーム２３ａが全面マスク１の内部で変位可能に配置され、ユーザが全面マスク１を装着した際の第１フレーム２３ａの（変形を含めた）変位により発生する押し付け力により第２フレーム２３ｂを目枠３を内側から押し付けて全面マスク１の内部で位置決めすることが可能となる。
【００４９】
すなわち、第１フレーム２３ａの変位により発生する押し付け力により、第１フレーム２３ａと連結される上部フレーム２３ｄ、中間フレーム２３ｅおよび／または下部フレーム２３ｃがアイピース５で内側から押し付けられてフレームユニット２３を全面マスク１の内部に位置決めすることができる。また、第１フレーム２３ａは、全面マスク１と気密に顔面と接するスカート６を介して額と接触する。すなわち、額当て部は、スカート６を緩衝部材としてユーザの額と接触させることができる。
【００５０】
なお、上述した情報表示装置２０では、撮像手段の一例として、カメラ制御部２４ｂを備えているカメラユニット２４の場合を説明しているが、カメラ制御部２４ｂは、情報端末４０（図４）等の外部ユニットとしてカメラ２４ａとは別のユニットに備えられていても良い。
【００５１】
また、上述した情報表示装置２０では、音声入力手段の一例としてマイクのマイク２５がフレームユニット２３に取り付けられている場合を説明しているが、全面マスク１の内部に形成される空間的余裕等を考慮して、マイク２５およびマイク２５（図４）に入力される音の音量の調整や収録等を含む音声制御処理を行う音声制御部６２ｂ（図４）が内部ユニットとしてフレームユニット２３に取り付けられていても良い。
【００５２】
また、いわゆるヘッドセットのような、マイク２５、イヤフォン６２ａ（図４）および音声制御部６２ｂが一体となった音声入出力ユニット６２（図４）を内部ユニットとして適用しても良い。
【００５３】
上述した情報表示装置２０では、従来の眼鏡型のアタッチメントを使用することなく、顔面を覆う全面マスク１の内部で情報表示装置２０を装着することができるので、全面マスク１によってユーザの視界が遮られることなく、全面マスク１の外部に装着する場合よりも表示される情報の視認性を向上させることができる。また、従来の眼鏡型のアタッチメントを使用する場合に生じ得るリーク（漏れ）を生じさせることなく全面マスク１の着用者に必要な情報を表示させることができる。
【００５４】
また、画像生成ユニット２１、光学ユニット２２およびフレームユニット２３は、全面マスク１の内部に収められており、外界に曝されることがないので、外界の環境の影響を受けず、洗浄や再利用等のメンテナンスが容易である。従って、中間貯蔵施設、再処理工場、ＭＯＸ燃料工場、高速増殖炉、高速増殖炉用燃料工場、高速増殖炉用再処理工場、高レベル放射性廃棄物最終処分施設等の原子力関連施設や医療施設等の放射線が放出する恐れまたは放射線が放出している環境下で使用する場合にはより有益である。
【００５５】
さらに、フレームユニット２３に対する光学ユニット２２の位置を、互いに異なる複数方向で調整できるため、全面マスク１を着用するユーザが使用回毎に異なる場合でもユーザの目と光学ユニット２２との位置関係を適切となる位置に調整して使用することができる。
【００５６】
また、フレームユニット２３において、第１フレーム２３ａが、左右方向を長手方向とする上部フレーム２３ｄを支点（回転軸）としてユーザの前後方向に所定角度（水平方向を０°とした場合、前後にそれぞれ９０°未満）の範囲内で回転できるため、ユーザの額と第１フレーム２３ａとの接触部と第２フレーム２３ｂの上部フレーム２３ｄが接する全面マスク１（アイピース５）の内面との距離が多少変動しても調整することができる。
【００５７】
なお、情報表示装置２０は、図１等に例示される、画像生成ユニット２１、光学ユニット２２およびフレームユニット２３に加えて、機能を拡張する構成要素をさらに具備していても良い。この場合、機能を拡張する構成要素は、カメラユニット２４や後述する音声入出力ユニット６２（図４）等のように内部ユニットの構成要素となるものもあるが、多くは全面マスク１の外部に配置される外部ユニットを構成する。
【００５８】
続いて、全面マスク１の外部に配置される、情報表示装置２０の外部ユニットについて説明する。
【００５９】
図４は情報表示装置２０を機能的な観点で捉えた構成を示す概略図（機能ブロック図）である。なお、図４は情報表示装置２０を使用する通信環境として、複数のアクセスポイント等の基地局が整備されており、サーバ５０等の外部装置と情報を双方向に伝送可能な状態にある場合を一例として説明する。
【００６０】
情報表示装置２０は、例えば、画像信号生成手段としての画像生成ユニット２１と、画像光生成手段および表示手段としての光学ユニット２２と、外部装置と情報を入出力する情報入出力手段としての情報端末４０とを具備する。
【００６１】
情報端末４０は、いわゆる、スマートフォンやタブレットＰＣと同様の情報処理可能な計算機（コンピュータ）で構成される。
【００６２】
情報端末４０は、例えば、接続されるユニットと情報を入出力する機能を有するインターフェイス部４１と、例えばサーバ５０等の外部装置と情報を双方向に伝送する伝送部４２と、設定される基準点を基準とする、自己の三次元的な位置情報を計測する測位部４３と、画像光を生成する条件を満たしている場合にインターフェイス部４１を介して画像生成ユニット２１へ接続される画像生成指令を伝送する表示条件指定部４４と、記憶部４５と、画像生成ユニット２１へ伝送する画像の情報を生成する画像情報生成部４６と、各処理部４１〜４６を含む情報端末４０全体の動作を制御する制御部４７とを備える。
【００６３】
インターフェイス部４１は、接続されるユニットと情報を入出力するインターフェイス機能を有する。
【００６４】
図４に例示される情報端末４０では、インターフェイス機能として、画像生成ユニット２１、カメラユニット２４、ウェアラブルな入力手段（マンマシンインターフェイス）としての入力ユニット６１、音声入出力ユニット６２、並びに線量計６４ａ、温度計６４ｂおよび湿度計６４ｃ等の物理量を検出する物理量検出手段としてのセンサ６４と情報を入出力するインターフェイス機能を有している。
【００６５】
ここで、音声入出力ユニット６２は、いわゆるヘッドセットに相当する構成要素であり、音声入力および音声出力を行う一体的に構成されたユニットである。音声入出力ユニット６２は、音声入力手段としてのマイク２５と、音声出力手段としてのイヤフォン６２ａと、例えば、音声信号の入力、出力、収録、再生、並びに入力感度および音量の調整等の必要な制御処理を行う音声制御手段としての音声制御部６２ｂとを備える。
【００６６】
インターフェイス部４１と画像生成ユニット２１等の各種ユニットと情報を授受する情報伝送経路は、有線および無線の何れかを問わない。例えば、有線を使用する場合、電源供給手段を外部に設置することができる。一方、無線を使用する場合、全面マスク１内からケーブルを引き出す必要がなくなるため、リークのリスクを低減することができる。
【００６７】
また、図４に例示される情報端末４０では、画像生成ユニット２１、カメラユニット２４、入力ユニット６１、音声入力手段としてのマイク６２ａ、音声出力手段としてのイヤフォン６２ｂ、線量計６４ａ、温度計６４ｂおよび湿度計６４ｃが、有線または無線で情報を入出力可能にインターフェイス部４１と接続されており、インターフェイス部４１を介して情報端末４０が情報を入出力している。
【００６８】
なお、情報表示装置２０において、情報端末４０は、少なくとも、画像生成ユニット２１とインターフェイス部４１とが情報を入出力可能に接続されていればよく、画像生成ユニット２１以外のユニットおよび当該ユニットとのインターフェイス機能については、適宜省略することができる。
【００６９】
また、インターフェイス部４１は、情報を入出力するユニットを制御する機能をさらに有していても良い。例えば、カメラユニット２４の場合、カメラ制御部２４ｂに相当する機能をインターフェイス部４１が有していても良い。
【００７０】
伝送部４２は、例えばサーバ５０等の情報表示装置２０に対して外部に設置される外部装置との情報伝送経路を確立し、情報を双方向に伝送する機能を有する。図４に例示される情報端末４０では、アクセスポイント等の基地局との無線による情報伝送経路を確立し、情報伝送経路が確立された基地局を経由してサーバ５０との情報伝送経路を確立することで、サーバ５０との双方向な情報伝送を可能にしている。
【００７１】
測位部４３は、例えば、加速度センサ、ジャイロセンサ（角加速度センサ）等のセンサや全地球測位システム（ＧＰＳ：Global Positioning System）を構成するＧＰＳ衛星からの電波を受信する受信部を有して構成されており、情報端末４０の三次元的な位置情報を取得する機能を有する。
【００７２】
測位部４３が取得する情報端末４０の三次元的な位置情報は、例えば、設定される基準点を基準とする三次元座標である。測位部４３が取得した情報端末４０の三次元的な位置情報は、伝送部４２を介してサーバ５０や記憶部４５に与えられる。
【００７３】
なお、情報端末４０の三次元的な位置情報は、上記例示の手法に限らず、要求される位置精度等を考慮して他の手法を選択することができる。例えば、無線通信可能なエリア内にいる場合に、三次元的な位置情報が既知の電波を受信可能な周辺の異なる複数箇所のアクセスポイント等の基地局との位置情報と推定される現在地からの距離とを用いて情報端末４０の三次元的な位置情報を取得する等の測位方法を採用して情報端末４０の三次元的な位置情報を取得することもできる。
【００７４】
表示条件指定部４４は、ユーザに視認させる（表示させる）画像に対して、表示条件を設定する機能、設定される表示条件の有無を判定する機能、表示条件が設定されている場合に設定されている表示条件が成立しているか否かを判断する機能を有する。
【００７５】
表示条件指定部４４は、表示条件が設定されると、設定された表示条件の情報を表示させる画像の識別情報と関連付けて記憶部４５に与える。記憶部４５では、表示させる画像を特定する画像識別情報と表示条件とが関連付けられて記憶される。
【００７６】
また、表示条件指定部４４は、ユーザに視認させる画像に対して、設定される表示条件が有る場合、表示条件の内容を示す情報に加え、当該表示条件が成立しているかを判定するための必要な情報を、情報源となる他の処理部４１〜４３，４５，４６から取得する。
【００７７】
表示条件の成立を判定するための必要な情報は、表示条件によって異なるが、例えば、表示条件が「情報端末４０が機器Ｍ（三次元的な位置情報は既知）の半径５ｍ以内に入った場合」である場合、表示条件の成立を判定するためには、機器Ｍの半径５ｍ以内の領域を示す三次元的な位置情報と測位部４３が取得する情報端末４０の三次元的な位置情報とが必要となる。この場合、表示条件の成立を判定するための必要な情報は、機器Ｍの三次元的な位置情報と、情報端末４０の三次元的な位置情報となる。
【００７８】
また、他の表示条件の例として「ＷＢＧＴ（Wet-Bulb Globe Temperature：湿球黒球温度）が２５℃以上（警戒レベル以上）」である場合、ＷＢＧＴ計測器等のＷＢＧＴ値を計測可能なＷＢＧＴ計測手段がインターフェイス部４１と接続される場合には、表示条件成立の判定式（ＷＢＧＴ値の計測値Ｔ≧２５）の情報を記憶部４５に記憶させておき、ＷＢＧＴ値の計測値をインターフェイス部４１から取得して条件成立を判定する。この場合、表示条件の成立を判定するための必要な情報は、判定式（ＷＢＧＴ値の計測値Ｔ≧２５）の情報とＷＢＧＴ値の計測値となる。
【００７９】
なお、ＷＢＧＴ計測手段がインターフェイス部４１と接続されていない場合でも、温度（乾球温度）および湿度（相対湿度）を計測する温度計６４ｂおよび湿度計６４ｃがインターフェイス部４１と接続されている場合には、温度（乾球温度）および湿度（相対湿度）を行列要素としてＷＢＧＴ値を与えるテーブルデータを記憶部４５に記憶させておき、温度（乾球温度）および湿度（相対湿度）の各計測値をインターフェイス部４１から取得し、ＷＢＧＴ値を与えるテーブルデータを記憶部４５から取得すれば、ＷＢＧＴ値を得ることができる。
【００８０】
記憶部４５は、情報端末４０内の各処理部４１〜４４，４６がアクセスでき、データの読み書き（リード／ライト）可能な領域を有しており、各種の処理実行時に必要となる情報を記憶する領域を提供する。
【００８１】
記憶部４５には、例えば、画像生成ユニット２１に伝送する画像の情報を生成する際に使用される、画面フォーマットの情報、データ更新の要否を判定するための判定基準の情報、および表示条件指定部４４が指定する表示条件と画像との対応関係を示す情報等が記憶される。また、インターフェイス部４１を介して接続されるセンサ６４の計測結果の情報や測位部４３が測位した情報端末４０の三次元的な位置情報、サーバ５０へ伝送する情報を必要に応じて記憶部４５に記憶される。
【００８２】
画像情報生成部４６は、画像生成ユニット２１に伝送する画像の情報を生成する機能を有する。画像の情報は、ユーザが視認する画面の画面フォーマットと当該画面を構成するデータとを含んでおり、画像の情報の生成は、画面フォーマットに当該画面を構成するデータを所定の領域に貼り付けることで行われる。
【００８３】
また、画像情報生成部４６は、画面を構成するデータの状態が最新であるか否かを判定する機能と、同じ画面フォーマットに基づいて前回生成した画像の情報を保持する機能とを有していても良い。この場合、画像情報生成部４６は、生成する画像の画面フォーマットから作成される画面を構成するデータの更新の要否を判定する。例えば、更新頻度の情報や最新バージョンを示すバージョンの情報等の判定基準となる情報は、記憶部４５に記憶されている。
【００８４】
画像情報生成部４６は、判定基準を参照して前回生成した画像の基となる画面フォーマットに貼り付けられているデータが、現時点においても最新のデータであればデータ更新が不要と判定し、最新のデータでなければデータ更新が必要と判定する。
【００８５】
画像情報生成部４６は、データ更新が必要な場合、データ更新が必要なデータを当該データの保有先から取得し、保持している画像の情報に対して、取得したデータを更新することで画像の情報を生成する。一方、データ更新が不要な場合、保持している画像の情報を使用することで、新規な画像情報の生成を省略することができる。
【００８６】
制御部４７は、インターフェイス部４１を介して接続されるユニットと情報をやり取りする。図４に例示される情報端末４０では、インターフェイス部４１を介して接続される、画像生成ユニット２１、カメラユニット２４、入力ユニット６１、音声入出力ユニット６２および線量計６４ａ等のセンサ６４と情報を授受する。
【００８７】
制御部４７は、伝送部４２との情報の授受を制御する。図４に例示される情報端末４０では、制御部４７が、伝送部４２と、インターフェイス部４１、測位部４３、表示条件指定部４４、記憶部４５および画像情報生成部４６との情報の授受を制御する。
【００８８】
また、制御部４７は、情報端末４０が測位部４３を備える場合、測位部４３が測位した情報端末４０の三次元的な位置情報を取得し、伝送部４２へ与える。図４に例示される情報端末４０では、測位部４３が測位した情報端末４０の三次元的な位置情報が、伝送部４２を介して接続されるサーバ５０へ伝送される。
【００８９】
さらに、制御部４７は、情報端末４０が表示条件指定部４４を備える場合、表示条件指定部４４に対して指定される表示条件を判断するために必要な情報を提供する。また、制御部４７が表示条件指定部４４から表示条件が成立していると判断した旨の情報を取得した場合、制御部４７は成立している表示条件と関連付けられている画像の情報を画像生成ユニット２１へ伝送するため、画像生成ユニット２１と伝送可能に接続されるインターフェイス部４１へ与える。
【００９０】
制御部４７は、画像情報生成部４６から生成した画像の情報を受け取ると、受け取った画像の情報を伝送部４２へ与える。また、制御部４７は、画像情報生成部４６からデータの要求を受け取ると、当該要求のあったデータが存在する記憶部４５または伝送部４２を介して接続されるサーバ５０からデータを取得して画像情報生成部４６へ与える。
【００９１】
なお、情報端末４０は、図４に例示される構成に限定されるものではなく、少なくとも画像生成ユニット２１とのインターフェイス機能を有するインターフェイス部４１と、このインターフェイス部４１を制御する制御部４７を備えていれば良い。すなわち、情報端末４０は、測位部４３等の任意の構成要素を適宜省略して構成することもできるし、他の機能を拡張（処理部を追加）して構成することもできる。
【００９２】
サーバ５０は、情報を蓄積および配信する機能を有する計算機（コンピュータ）であり、例えば、双方向な情報伝送機能を有する伝送部５１と、サーバ５０とクライアントとなる情報表示装置２０との情報の授受を管理する機能を有する統括管理部５２と、情報を蓄積可能な記憶部５３とを備える。図４に例示される、情報表示装置２０とサーバ５０とは、情報表示装置２０をクライアントとする情報表示システム（サーバ・クライアントシステム）を構成している。
【００９３】
統括管理部５２は、伝送部５１を介して受信した情報を関連付けて記憶部５３に記憶する（情報蓄積機能）。例えば、伝送部５１を介して受信される、センサ６４による計測結果と測位部４３による測位結果（情報端末４０の三次元的な位置情報）とは、互いに関連付けられて記憶部５３に記憶される。
【００９４】
また、統括管理部５２は、伝送部５１を介して情報表示装置２０（要求元）から受信した情報配信要求に対して、情報配信要求のあった情報を記憶部５３から検索して抽出する（情報検索機能）。さらに、統括管理部５２は、情報配信要求のあった情報を抽出すると、抽出した情報を、伝送部５１を介して要求元となる情報表示装置２０に配信する（情報配信機能）。
【００９５】
統括管理部５２は、例えば、Ｐ地点の線量について情報配信要求を受信した場合、三次元的な位置情報と関連付けられた線量の情報（計測結果）が記憶される記憶部５３から、三次元的な位置情報を検索キーとしてＰ地点の三次元的な位置情報を検索し、さらにＰ地点の三次元的な位置情報と関連付けられている線量の情報（計測結果）を検索する。検索の結果、該当する線量の情報（計測結果）を抽出できた場合、抽出した情報を情報配信要求の要求元となる情報表示装置２０に配信する。
【００９６】
なお、統括管理部５２は、得られる計測結果、測位された位置情報および計測される地点を含む領域の地図情報を用いて、計測結果をマッピングするマッピング機能を有していても良い。この場合、マッピングされた地図上の計測値は、すべてが同じタイミングで更新されるとは限らないため、エリアによって情報の新しさに差異が生じ得る。そこで、例えば日付変更時など、所定のタイミングで作成された地図をゼロリセットしながら、計測値のマッピング処理を行うようにすることが好ましい。
【００９７】
なお、情報表示装置２０とサーバ５０とで構成される情報表示システム（サーバ・クライアントシステム）において、クライアントとなる情報表示装置２０は、１台以上存在していれば良く、１台でも複数台でも良い。
【００９８】
上述した情報端末４０を具備する情報表示装置２０では、情報端末４０が様々な情報をインターフェイス部４１や伝送部４２から取得でき、インターフェイス部４１から画像生成ユニット２１へ画像の情報を伝送できるので、全面マスク１を着用したユーザに様々な情報を画面表示することができる。
【００９９】
また、インターフェイス部４１に音声入出力ユニット６２を接続することで、音声を入出力することができるので、遠隔地と音声によるコミュニケーションが可能となる。従って、ユーザが現場の状況を音声で遠隔地に伝えたり、現場の状況を遠隔地で確認した監督者からの指示を音声で受け取ったりすることができ、作業の正確性および迅速性を高めることができる。また、効率の良く作業を行うことができるので、従来よりも現場に立ち入る人員を削減することもできる。
【０１００】
情報端末４０が、測位部４３を備える場合、情報端末４０の三次元的な位置情報を利用して画像の情報を生成することができる。
【０１０１】
また、情報端末４０が、表示条件指定部４４を備える場合、設定した表示条件を満たす場合に画像を自動的に表示することができる。従って、ユーザは、情報が必要なときに、必要な情報を視認することができる。
【０１０２】
設定された表示条件を満たすときに限定する利点としては、目の前の反射板２７に画像が常時表示されていると、表示される画像に気を取られる分、移動中や作業中の場合、移動や作業に対する注意力が低下しがちであるが、設定された表示条件を満たすときに限定することで、移動中や作業中の注意力低下を回避できることがある。移動中や作業中の注意力低下を回避することで、ユーザは安全性を損なうことなく、情報表示装置２０を使用することができる。
【０１０３】
さらに、情報端末４０がサーバ５０と双方向に情報伝送可能である場合、線量計６４ａ等のセンサ６４や監視カメラ等のユーザが持ち歩いていない装置からの情報を蓄積しているサーバ５０から情報を取得して画面表示することができる。
【０１０４】
また、複数台の情報表示装置２０とサーバ５０とでサーバ・クライアントシステムを構築すれば、個々の情報表示装置２０から収集した情報を共有して各々の情報表示装置２０で利用することができる。
【０１０５】
上記サーバ・クライアントシステムを構築することにより、例えば、線量計６４ａ、温度計６４ｂおよび湿度計６４ｃ等のセンサ６４が接続され、伝送部４２および測位部４３を備える情報端末４０とセンサ６４を持って移動する複数のユーザが収集した情報を共有でき、複数のユーザが移動した範囲内の領域について、線量、温度および湿度等の計測結果をマッピングすることができる。マッピングにより得られた情報は、各ユーザに提供することができるので、例えば、ユーザは表示される現在地の線量の計測値を確認することで、想定外の被ばく線量の増加を防ぐことができる。
【０１０６】
また、他の例として、ユーザは表示される、温度および湿度、または温度および湿度から得られるＷＢＧＴ値（暑さ指数）等のインデックス（指標）を確認することで、熱中症で倒れることを未然に防止することができる。なお、センサ６４の一例として、ＷＢＧＴ計測手段を用いれば、直接的に得られるＷＢＧＴ値（暑さ指数）を熱中症のリスクを示す指標としてユーザに提示することもできる。
【０１０７】
続いて、情報表示装置２０がユーザに提供する情報を表示するための処理手順（情報表示手順）について説明する。
【０１０８】
図５は、情報表示装置２０が行う情報表示手順の処理ステップの流れを示す流れ図（フローチャート）である。
【０１０９】
図５に例示される情報表示手順の処理フローは、情報表示装置２０がサーバ５０と情報伝送可能な状態で接続が確立されており、画像の情報を生成する際に画面フォーマットに貼り付けるデータをサーバ５０から取得する場合を一例として説明した内容である。
【０１１０】
情報表示手順（ステップＳ１〜ステップＳ８）は、例えば、画面フォーマット選定ステップ（ステップＳ１）と、データ種類抽出ステップ（ステップＳ２）と、更新データ要否判定ステップ（ステップＳ３）と、最新データ要求ステップ（ステップＳ４）と、最新データ受信ステップ（ステップＳ５）と、画像情報生成ステップ（ステップＳ６）と、画像信号生成ステップ（ステップＳ７ａ）および画像光生成ステップ（ステップＳ７ｂ）を備える画像生成ステップ（ステップＳ７）と、画像表示ステップ（ステップＳ８）とを具備する。
【０１１１】
情報表示装置２０が情報表示手順を開始するにあたり、ユーザは、まず、情報表示装置２０を装着する。情報表示装置２０の装着は、全面マスク１を着用するユーザが、光源、光学素子および反射板２７を有する光学ユニット２２が取り付けられたフレームユニット２３を全面マスク１内に配置し、その全面マスク１を着用することによってフレームユニット２３を全面マスク１内に位置決めすることで行われる。その後、ユーザが情報表示装置２０を起動することで、情報表示装置２０はサーバ５０と情報伝送可能な状態（接続）を確立し、情報表示手順の処理ステップを開始する（ＳＴＡＲＴ）。
【０１１２】
情報表示手順の処理ステップが開始され、情報端末４０に情報表示要求が入力されると、情報端末４０に入力される情報表示要求に対して、当該情報を表示する画面の画面フォーマットを選定する（ステップＳ１）。
【０１１３】
画面フォーマットは、入力される情報表示要求および当該画面を構成する、例えば、線量、温度または湿度等の計測結果、文書、地図等のデータと関連付けがなされて記憶部４５に記憶されている。画面フォーマット選定ステップ（ステップＳ１）では、画像情報生成部４６が、入力される情報表示要求と関連付けられている画面フォーマットを検索し抽出することで、画面フォーマットを選定する。
【０１１４】
画面フォーマットが選定されたら、画像情報生成部４６は、選定した画面フォーマットの情報と関連付けがなされているデータの種類を抽出する（ステップＳ２）。
【０１１５】
データの種類が抽出されると、画像情報生成部４６は、抽出したデータの種類に属するデータに対して、データ更新の要否を判定する（ステップＳ３）。データ更新の要否は、データの種類および更新日時を判定基準として与えておき、画面フォーマットに貼り付けるデータが判定基準を満たすか否か考慮して決定される。
【０１１６】
例えば、要求するデータの種類が計測データ（計測結果）である場合、定期に計測されるデータのため、計測間隔よりも長い時間を経過しているか否かでデータの要否を判定できる。また、データにバージョン情報が存在する場合には、バージョン情報が最新のバージョンであるか否かを確認することでデータの要否を判定できる。
【０１１７】
データ更新が必要な場合（ステップＳ３でＹＥＳの場合）、画像情報生成部４６は、制御部４７に対して最新のデータを要求する。制御部４７は、要求されるデータの保存先であるサーバ５０に対して最新のデータを要求し（ステップＳ４）、サーバ５０からのデータ受信を待機する。
【０１１８】
一方、サーバ５０は、情報表示装置２０から送信された要求を受信すると（ステップＳ１１）、要求される最新のデータを抽出し、抽出した最新のデータを情報表示装置２０へ送信する（ステップＳ１２）。
【０１１９】
伝送部４２がサーバ５０から最新のデータを受信すると（ステップＳ５）、制御部４７は伝送部４２から最新のデータを受け取り、画像情報生成部４６へ与える。
【０１２０】
画像情報生成部４６は、制御部４７から最新のデータを受け取ると、最新のデータを用いて画像の情報を生成する（ステップＳ６）。生成された画像の情報は、インターフェイス部４１を介して接続される画像生成ユニット２１に与えられる。
【０１２１】
画像生成ユニット２１および光学ユニット２２では、ステップＳ６で生成された画像の情報に基づく画像が生成され（ステップＳ７ａ，Ｓ７ｂ）、生成した画像を表示する（ステップＳ８）。
【０１２２】
画像生成ステップ（ステップＳ７）および画像表示ステップ（ステップＳ８）について、もう少し詳しく説明すれば、画像生成ユニット２１は、画像信号生成ステップ（ステップＳ７ａ）として、インターフェイス部４１から受け取った画像の情報に基づいて画像信号を生成する（ステップＳ７ａ）。ここで、生成された画像信号は、画像生成ユニット２１から光学ユニット２２へ与えられる。
【０１２３】
光学ユニット２２は、画像光生成ステップ（ステップＳ７ｂ）として、画像信号に基づいて画像光を生成する（ステップＳ７ｂ）。光学ユニット２２は、画像光を生成すると、画像表示ステップ（ステップＳ８）として、生成した画像光を反射板２７へ投影する（ステップＳ８）。反射板２７へ投影された画像光は、反射板２７で反射してユーザの瞳孔に導かれる。
【０１２４】
一方、画像情報生成部４６が、データ更新が不要と判定した場合（ステップＳ３でＮＯの場合）、処理フローは、ステップＳ３からステップＳ７に進み、ステップＳ７以降の処理ステップが実行される。
【０１２５】
上述した流れで処理ステップが実行され、生成された画像の表示（ステップＳ８）が実行されると、情報表示手順は終了する（ＥＮＤ）。
【０１２６】
なお、図５に例示される情報表示手順は、更新が必要なデータがサーバ５０に保存（蓄積）される場合を説明しているが、更新が必要なデータが情報端末４０内に保存されている場合、情報端末４０とサーバ５０との間の情報の授受は省略される。
【０１２７】
以上、情報表示装置２０によれば、従来の眼鏡型のアタッチメントを使用することなく、顔面を覆う全面マスク１の内部で情報表示装置２０を装着することができるので、全面マスク１によってユーザの視界が遮られることなく、全面マスク１の外部に装着する場合よりも表示される情報の視認性を向上させることができる。また、従来の眼鏡型のアタッチメントを使用する場合に生じ得るリーク（漏れ）を生じさせることなく全面マスク１の着用者に必要な情報を表示させることができる。
【０１２８】
また、画像生成ユニット２１、光学ユニット２２およびフレームユニット２３は、全面マスク１の内部に収められており、外界に曝されることがないので、外界の環境の影響を受けず、洗浄や再利用等のメンテナンスを容易化することができる。
【０１２９】
さらに、フレームユニット２３に対する光学ユニット２２の位置を、互いに異なる複数方向で調整できるため、全面マスク１を着用するユーザが使用回毎に異なる場合でもユーザの目と光学ユニット２２との位置関係を適切となる位置に調整して使用することができる。
【０１３０】
また、情報端末４０を具備する情報表示装置２０では、情報端末４０が様々な情報をインターフェイス部４１や伝送部４２から取得でき、インターフェイス部４１から画像生成ユニット２１へ画像の情報を伝送できるので、全面マスク１を着用したユーザに様々な情報を画面表示することができる。
【０１３１】
また、情報端末４０を具備する情報表示装置２０によれば、インターフェイス部４１に音声入出力ユニット６２を接続することで、遠隔地と音声によるコミュニケーションが可能となり、ユーザが現場の状況を音声で遠隔地に伝えたり、現場の状況を遠隔地で確認した監督者からの指示を音声で受け取ったりすることができる。従って、作業の正確性および迅速性を高めることができる。また、効率の良く作業を行うことができるので、従来よりも現場に立ち入る人員を削減することもできる。
【０１３２】
表示条件指定部４４を備える情報端末４０を具備する情報表示装置２０では、設定した表示条件を満たす場合に画像を自動的に表示することができる。従って、ユーザは、情報が必要なときに、必要な情報を視認することができる。また、情報の表示を必要な場合に限定するので、移動中や作業中の注意力低下を回避することができ、ユーザは安全性を損なうことなく、情報表示装置２０を使用することができる。
【０１３３】
さらに、情報端末４０がサーバ５０と双方向に情報伝送可能で情報表示装置２０とサーバ５０とでサーバ・クライアントシステムを構築した場合、ユーザが持ち歩いていない装置からの情報を蓄積しているサーバ５０から情報を取得して画面表示することができる。また、各情報表示装置２０から伝送されサーバ５０に蓄積された情報を共有して各々の情報表示装置２０で利用することができる。
【０１３４】
上記サーバ・クライアントシステムを構築することにより、例えば、線量計６４ａ、温度計６４ｂおよび湿度計６４ｃ等のセンサ６４が接続され、伝送部４２および測位部４３を備える情報端末４０とセンサ６４を持って移動する複数のユーザが収集した情報を共有でき、複数のユーザが移動した範囲内の領域について、線量、温度および湿度等の計測結果をマッピングすることができる。マッピングにより得られた情報は、各ユーザに提供することができるので、例えば、ユーザは表示される情報に基づいて、ユーザは体調等の適切な管理をより容易に行うことができる。
【０１３５】
なお、本発明は上述した実施形態そのままに限定されるものではなく、実施段階では、上述した実施例以外にも様々な形態で実施することが可能であり、発明の要旨を逸脱しない範囲で、種々の省略、追加、置き換え、変更を行うことができる。これら実施形態やその変形は、発明の範囲や要旨に含まれるとともに、特許請求の範囲に記載された発明とその均等の範囲に含まれる。
【符号の説明】
【０１３６】
１…全面マスク、２…ノーズカップ、３…目枠、５…アイピース（窓部）、６…スカート（リップ部）、２０…情報表示装置、２１…画像生成ユニット、２１ａ…光学ユニット取付部（取付手段）、２２…光学ユニット、２３…フレームユニット、２３ａ…第１フレーム、２３ｂ…第２フレーム、２３ｃ…下部フレーム、２３ｄ…上部フレーム、２３ｅ…中間フレーム、２３ｆ…取付部（取付手段）、２３ｇ…固定部、２４…カメラユニット（撮像手段）、２４ａ…カメラ、２５…マイク（音声入力手段）、２６ａ…ケーブル（有線）、２７…反射板、２８…取付ユニット（取付手段）、３１…長穴、３２…固定具、３３…電路、４０…情報端末、４１…インターフェイス部、４２…伝送部、４３…測位部、４４…表示条件指定部、４５…記憶部、４６…画像情報生成部、４７…制御部、５０…サーバ、５１…伝送部、５２…統括管理部、５３…記憶部、６１…入力ユニット（マンマシンインターフェイス）、６２…音声出入力ユニット、６２ａ…イヤフォン（音声出力手段）、６２ｂ…音声制御部、６４…センサ（物理量検出手段）、６４ａ…線量計、６４ｂ…温度計、６４ｃ…湿度計。
【図１】
0006612614.tif 000002
【図２】
0006612614.tif 000003
【図３】
0006612614.tif 000004
【図４】
0006612614.tif 000005
【図５】
0006612614.tif 000006